(57)【要約】【課題】支持部材に支持される被支持部材の支持方向と支持角度と支持高さを、用途や状況や好みに対応して自由に決めることができる球面支持具を提供すること。【解決手段】凹凸球面を介して２つの部材を連結する球面支持具（ペット用給餌容器Ａ１）において、凸球面部１ａを有する支持部材（半球形状支持台１）と、凸球面部１ａの形状に符合し、凸球面部１ａの凸球面領域より狭い凹球面領域に設定した凹球面部２ａを有する被支持部材（フードボウル２）と、支持部材（半球形状支持台１）と被支持部材（フードボウル２）との間に設けられ、凹球面部２ａを凸球面領域の所定位置に着脱可能に連結する連結機構（マグネット連結機構３）と、を有する。【選択図】図２
2020156426.tif 000002
【特許請求の範囲】
【請求項１】
凹凸球面を介して２つの部材を連結する球面支持具において、
凸球面部を有する支持部材と、
前記凸球面部の形状に符合し、前記凸球面部の凸球面領域より狭い凹球面領域に設定した凹球面部を有する被支持部材と、
前記支持部材と前記被支持部材との間に設けられ、前記凹球面部を前記凸球面領域の所定位置に着脱可能に連結する連結機構と、を有する
ことを特徴とする球面支持具。
【請求項２】
請求項１に記載された球面支持具において、
前記連結機構を、前記支持部材と前記被支持部材の少なくとも一方に設けたマグネットを有するマグネット連結機構とし、
前記マグネット連結機構は、前記被支持部材を移動させるときの前記マグネットによる磁気吸引力を、前記被支持部材を連結固定するときの前記マグネットによる磁気吸引力より小さく調整する磁気吸引力調整構造を有する
ことを特徴とする球面支持具。
【請求項３】
請求項２に記載された球面支持具において、
前記磁気吸引力調整構造を、前記凸球面部と前記凹球面部の対向間隔を弾性変形量により調整可能な滑り止め弾性体とする
ことを特徴とする球面支持具。
【請求項４】
請求項３に記載された球面支持具において、
前記支持部材を、磁性体素材により形成し、
前記被支持部材を、非磁性体素材により形成し、
前記マグネット連結機構を、前記被支持部材の前記凹球面部の領域に埋め込み状態で固定されたマグネットと、前記被支持部材の前記凹球面部の領域に固定された滑り止め弾性体と、を有する機構とする
ことを特徴とする球面支持具。
【請求項５】
請求項１から４までの何れか一項に記載された球面支持具において、
前記支持部材を、半球ドーム形状であり、半球状外周面の全体に前記凸球面部を有する半球形状支持台とし、
前記被支持部材を、半球ボウル形状であり、底面に前記凸球面部の形状に符合する形状による前記凹球面部を有するフードボウルとする
ことを特徴とする球面支持具。
【発明の詳細な説明】
【技術分野】
【０００１】
本発明は、多用途に適用される球面支持具に関する。
【背景技術】
【０００２】
従来、受け台と鉢状の容器体とを有し、容器体が、受け台に設けられた圧力スイッチの受圧部にて支承され、かつ、その受圧部に着脱自在とされているペット用給餌容器が知られている（例えば、特許文献１参照）。
【先行技術文献】
【特許文献】
【０００３】
【特許文献１】特開２００４−３２９１２７号公報
【発明の概要】
【発明が解決しようとする課題】
【０００４】
先行技術は、受け台と容器体とが着脱自在であるが、容器体を傾かせたり、容器体の高さ位置を変えたりする機能を有しない。なお、容器体を傾かせる機能を有するペット用給餌容器も知られているが、容器体に支持軸を有し、支持軸を中心とする傾き角度調整機能を有するだけで容器体の支持方向や支持位置の設定自由度が無い。このため、先行技術では、容器体の支持方向と支持角度と支持高さを、用途や状況や好みに対応して自由に決めることができない、という課題があった。
【０００５】
本発明は、上記課題に着目してなされたもので、支持部材に支持される被支持部材の支持方向と支持角度と支持高さを、用途や状況や好みに対応して自由に決めることができる球面支持具を提供することを目的とする。
【課題を解決するための手段】
【０００６】
上記目的を達成するため、本発明の球面支持具は、凹凸球面を介して２つの部材を連結するもので、
凸球面部を有する支持部材と、
凸球面部の形状に符合し、凸球面部の凸球面領域より狭い凹球面領域に設定した凹球面部を有する被支持部材と、
支持部材と被支持部材との間に設けられ、凹球面部を凸球面領域の所定位置に着脱可能に連結する連結機構と、を有する。
【発明の効果】
【０００７】
このように、支持部材の凸球面領域に被支持部材の凹球面部を連結することで、被支持部材が支持部材に支持固定される。
即ち、支持部材の凸球面部の全体を連結領域として被支持部材の凹球面部を連結することが可能な球面連結としているため、被支持部材の支持方向と支持角度と支持高さを自由に決めることができる。このとき、被支持部材の支持角度及び支持高さは、支持部材の中心垂直軸からの傾斜角度が大きいほど被支持部材の支持高さが低い位置になるという連動関係により決めることができる。
このため、支持部材に支持される被支持部材の支持方向と支持角度と支持高さを、用途や状況や好みに対応して自由に決めることができる球面支持具を提供することができる。
【図面の簡単な説明】
【０００８】
【図１】本発明の球面支持具が適用される実施例１のペット用給餌容器を示す正面図である。
【図２】ペット用給餌容器のフードボウルを半球形状支持台から離脱させた状態を示す正面図である。
【図３】ペット用給餌容器のフードボウルを示す裏面図である。
【図４】フードボウルの凹球面部に固定される滑り止め弾性体を示す拡大断面図である。
【図５】ペット用給餌容器のフードボウルの餌収容面を真上に向けた状態からフードボウルを凸球面部に沿って移動させるときの移動作用を示す作用説明図である。
【図６】ペット用給餌容器のフードボウルの餌収容面を真上に向けた位置より低く傾斜した位置に固定させるときの連結固定作用を示す作用説明図である。
【図７】大型犬と中型犬と小型犬に対応してペット用給餌容器の傾斜角度を決める使用例を示す使用説明図である。
【図８】実施例１のペット用給餌容器以外に本発明の球面支持具が適用される動力不要系適用例２〜６を示す概要図である。
【図９】実施例１のペット用給餌容器以外に本発明の球面支持具が適用される動力必要系適用例１〜７を示す概要図である。
【発明を実施するための形態】
【０００９】
以下、本発明による球面支持具を実施するための形態を、図面に示す実施例１に基づいて説明する。
【実施例１】
【００１０】
実施例１における球面支持具は、支持部材を半球形状支持台とし、被支持部材をフードボウルとするペット用給餌容器への適用例である。以下、実施例１のペット用給餌容器Ａ１の構成を、図１〜図４に基づいて説明する。
【００１１】
ペット用給餌容器Ａ１は、凹凸球面を介して２つの部材を連結する球面支持具であり、図１及び図２に示すように、半球形状支持台１（支持部材）と、フードボウル２（被支持部材）と、マグネット連結機構３（連結機構）と、を備えている。
【００１２】
半球形状支持台１は、鉄（磁性体）を素材として形成され、図２に示すように、半球ドーム形状である。この半球形状支持台１は、半球状外周面の全体に形成される凸球面部１ａと、容器設置面に載置される円形端形状の下端面１ｂと、半球形状支持台１の内側をくり抜いた半球状内面１ｃと、を有する。ここで、凸球面部１ａの表面には、白色系の粉体塗装が施され、滑らかな凹凸形状を表面に形成している。
【００１３】
フードボウル２は、木材（非磁性体）を素材として形成され、図２に示すように、半球ボウル形状である。このフードボウル２は、ボウル底面に凸球面部１ａの凸球面形状に符合する凹球面形状による凹球面部２ａと、凹球面部２ａが形成されるボウル外面２ｂと、餌や水等を収容するボウル内面２ｃと、を有する。ここで、凹球面部２ａは、半球形状支持台１の凸球面部１ａによる凸球面領域（凸球面の総面積）より狭い凹球面領域（凹球面の総面積）に設定される。なお、フードボウル２の素材としては、木目が美しい木材（例えば、ホワイトアッシュ等）が用いられ、粉体塗装が施された半球形状支持台１との組み合わせにより、デザイン性が高くて上質なペット用給餌容器Ａ１とすることができる。
【００１４】
マグネット連結機構３は、半球形状支持台１とフードボウル２との間に設けられ、凹球面部２ａを、半球形状支持台１の凸球面部１ａの凸球面領域の所定位置に対し、マグネット３ａの磁気吸引力により着脱可能に連結する連結機構である。このマグネット連結機構３は、着脱機能以外に、フードボウル２に外力を加えると、外力の作用方向にしたがって凸球面部１ａの形状に沿うフードボウル２の移動を許容し、フードボウル２への外力を解除すると、外力解除時の凸球面部１ａの位置にフードボウル２を連結固定する支持位置調整機能を有する。
【００１５】
マグネット連結機構３の詳細構成を、図２〜図４に基づいて説明する。マグネット連結機構３は、フードボウル２の凹球面部２ａの領域に埋め込み状態で固定されたマグネット３ａと、フードボウル２の凹球面部２ａの領域に、マグネット３ａと共に固定された滑り止め弾性体３ｂ（磁気吸引力調整構造）と、を有する機構としている。
【００１６】
マグネット３ａは、半球形状支持台１に対してフードボウル２を連結固定するときに所望の固定強度を確保でき、かつ、フードボウル２を半球形状支持台１から引き離す方向に加える力を強めると、半球形状支持台１からフードボウル２を離脱させることが可能な磁気吸引力を持たせたものである。マグネット３ａの具体的な埋め込み固定形態は、図２及び図３に示すように、円柱形状のマグネット３ａを４個用い、凹球面部２ａの外周位置の等間隔の４箇所の位置に、凹球面部２ａに対して垂直方向への埋め込みにより配置されている。なお、マグネット３ａの素材としては、例えば、ネオジウムマグネット等が用いられる。
【００１７】
滑り止め弾性体３ｂは、凸球面部１ａと凹球面部２ａの対向間隔を弾性変形量により調整可能な弾性体である。つまり、フードボウル２を移動させるとき、凸球面部１ａと凹球面部２ａの対向間隔（隙間）を弾性変形により離すことで、マグネット３ａによる磁気吸引力を、フードボウル２を連結固定するときのマグネット３ａによる磁気吸引力より小さく調整する磁気吸引力調整構造である。
【００１８】
滑り止め弾性体３ｂの具体的な配置形態は、図３に示すように、円盤形状の滑り止め弾性体３ｂを５個用い、凹球面部２ａの中心位置の１箇所と凹球面部２ａの外周位置の等間隔４箇所との合計５箇所の位置に、凹球面部２ａへの接着固定により配置されている。
【００１９】
滑り止め弾性体３ｂの具体的な構成は、図４に示すように、ゴムやスポンジ等の弾性変形する可撓性素材により形成され、凸球面部１ａと接触する位置に表面層３ｃを有する。表面層３ｃは、合成樹脂により形成され、マグネット３ａによる磁気吸引力を小さく抑えてフードボウル２を移動させる場合、凸球面部１ａに沿っての滑りを許容する。しかし、マグネット３ａによる磁気吸引力を大きくしてフードボウル２を固定連結させる場合、弾性変形により凸球面部１ａの表面凹凸に嵌合して滑り止め機能を果たす。
【００２０】
次に、「背景技術と課題解決対策」を説明する。そして、実施例１の「フードボウルの支持位置調整作用」を説明する。
【００２１】
［背景技術と課題解決対策］
背景技術のペット用給餌容器として一般的に知られているのは、受け台と容器体とが着脱自在のものである。しかし、背景技術のペット用給餌容器は、容器体を傾かせたり、容器体の高さ位置を変えたりする機能を有しない。
【００２２】
さらに、背景技術としては、容器体を傾かせる機能を有するペット用給餌容器も知られている。しかし、受け台に対して容器体に支持軸を中心として傾動可能に支持しているものである。しかし、この背景技術のペット用給餌容器は、支持軸を中心とする傾き角度調整機能を有するだけで、容器体の支持方向や支持高さの設定自由度が無い。
【００２３】
このため、背景技術では、容器体（被支持部材）の支持方向と支持角度と支持高さを、用途や状況や好みに対応して自由に決めることができない、という課題があった。即ち、「面倒な調整作業を要することなく被支持部材の支持形態を自由に決めることができ、しかも、デザイン性が高くてインテリアに合う球面支持具が欲しい。」というユーザニーズに応えることができない。
【００２４】
本発明者等は、上記課題を解決するため、支持部材側を凸球面とし、被支持部材側を凹球面にすると、被支持部材の支持方向を360°の全方向範囲で変更でき、被支持部材の支持角度と支持高さについては互いに連動して変更させることができる点に着目した。この着目点に基づいて、本発明の球面支持具（ペット用給餌容器Ａ１）は、凹凸球面を介して２つの部材を連結するもので、凸球面部１ａを有する支持部材（半球形状支持台１）と、凸球面部１ａの形状に符合し、凸球面部１ａの凸球面領域より狭い凹球面領域に設定した凹球面部２ａを有する被支持部材（フードボウル２）と、支持部材と被支持部材との間に設けられ、凹球面部２ａを凸球面領域の所定位置に着脱可能に連結する連結機構（マグネット連結機構３）と、を有する、という課題解決対策を採用した。
【００２５】
このように、支持部材（半球形状支持台１）の凸球面領域１ａに被支持部材（フードボウル２）の凹球面部２ａを連結することで、被支持部材が支持部材に支持固定される。即ち、支持部材の凸球面部１ａの全体を連結領域として被支持部材の凹球面部２ａを連結することが可能な球面連結としているため、被支持部材の支持方向と支持角度と支持高さを自由に決めることができる。このとき、被支持部材の支持角度及び支持高さは、支持部材の中心垂直軸CLからの傾斜角度が大きいほど被支持部材の支持高さが低い位置になるという連動関係により決めることができる。このため、支持部材に支持される被支持部材の支持方向と支持角度と支持高さを、用途や状況や好みに対応して自由に決めることができる球面支持具（ペット用給餌容器Ａ１）を提供することができる。
【００２６】
ここで、連結機構をマグネット連結機構３にすると、例えば、蝶ネジを緩めたり締め付けたりする等の面倒な調整作業を省略することができる。さらに、支持部材である半球形状支持台１の表面に塗装を施し、被支持部材であるフードボウル２の素材を木材にし、連結機構を外部から視認できない位置に配置すると、上質な外観形状によりデザイン性が高くてインテリアに合う球面支持具（ペット用給餌容器Ａ１）にすることができる。
【００２７】
［フードボウルの支持方向と支持位置調整作用］
まず、マグネット連結機構３の着脱機能を用いてフードボウル２を支持する際には、磁気吸引力にてフードボウル２の凹球面部２ａを、半球形状支持台１の凸球面部１ａの凸球面領域の所望の位置に磁気固定することで行われる。しかし、フードボウル２の支持位置が微妙に所望の位置からずれているとき、或いは、フードボウル２の支持位置を大きく変更したい要求があるときは、マグネット連結機構３による支持位置調整機能を用いることで、フードボウル２の支持位置を調整することができる。
【００２８】
フードボウル２の支持位置を調整する際、図５に示すように、半球形状支持台１の頂部位置に水平にフードボウル２が支持されている状態から、図６に示すように、半球形状支持台１にフードボウル２を傾斜させた支持位置まで調整する場合を例にとる。
【００２９】
このとき、まず、フードボウル２を把持し、凸球面部１ａと凹球面部２ａとの隙間t1（＞隙間t2）が拡大するように、半球形状支持台１の外径方向に外力を作用させる。この操作により、滑り止め弾性体３ｂが膨張変形し、図５に示すように、凸球面部１ａと凹球面部２ａとの隙間t1が、半球形状支持台１にフードボウル２を連結固定するときの隙間t2（図６）より拡大し、マグネット連結機構３による磁気吸引力が低下する。
【００３０】
そして、マグネット連結機構３による磁気吸引力を低下させたまま、支持位置の調整方向（図５の矢印Ｃ方向）に外力を作用させる。この操作により、凸球面部１ａと凹球面部２ａとの隙間t1を保ちながら、外力を加えた方向にしたがって半球形状支持台１の凸球面部１ａに沿ってフードボウル２がスムーズに移動する。
【００３１】
その後、半球形状支持台１の中心垂直軸CLからのフードボウル２の傾斜角度が、所望の傾斜角度θになると、フードボウル２から手を離し、フードボウル２に加えていた外力を解除する。この操作により、滑り止め弾性体３ｂが収縮変形し、図６に示すように、凸球面部１ａと凹球面部２ａとの隙間が、隙間t1から隙間t2へと縮小する。これにより、マグネット連結機構３による磁気吸引力が上昇し、フードボウル２に加えていた外力を解除した位置に、フードボウル２を連結固定させることができる。
【００３２】
このように、フードボウル２を図５に示す支持位置から図６に示す支持位置への移動により調整する場合、フードボウル２を半球形状支持台１から完全に離脱させることなく、半球形状支持台１に対して磁気固定状態としたままで、フードボウル２の支持位置の調整を行うことができる。ここで、図５及び図６に示す例では、傾斜角θが支持角度の角度調整代になり、ΔＨが支持位置の高さ調整代になる。なお、マグネット連結機構３によるフードボウル２の支持位置の調整については、図５及び図６に示すような角度と高さの調整以外に、支持方向を含めて自由に調整することができる。
【００３３】
次に、ペット用給餌容器Ａ１を使用する場合について、図７に基づいて説明する。ペット用給餌容器Ａ１を使用する場合、大型犬ＤＬはフードボウル２の支持位置を高くし、中型犬ＤＭはフードボウル２の支持位置を大型犬ＤＬより低い位置にし、小型犬ＤＳはフードボウル２の支持位置を中型犬ＤＭより低い位置にしたいという要求がある。
【００３４】
これに対し、半球形状支持台１とフードボウル２を球面支持とした場合、半球形状支持台１の中心垂直軸CLからの傾斜角度が大きいほどフードボウル２の支持高さが低い位置になるという連動関係がある。このため、図７に示すように、例えば、大型犬ＤＬの場合は傾斜角度をゼロ度にすると、フードボウル２の支持位置が高くなる。そして、中型犬ＤＭの場合は中心垂直軸CLからの傾斜角度を少し持たせると、フードボウル２’の支持位置が大型犬ＤＬより低い位置になる。小型犬ＤＳの場合は中心垂直軸CLからの傾斜角度を中型犬ＤＭより大きくすると、フードボウル２”の支持位置が中型犬ＤＭより低い位置になる。このように、同じサイズのペット用給餌容器Ａ１を使用しながらも、大型犬ＤＬ、中型犬ＤＭ、大型犬ＤＬというように、犬の大きさに対応することができる。
【００３５】
以上説明したように、実施例１の球面支持具（ペット用給餌容器Ａ１）にあっては、下記に列挙する効果を奏する。
【００３６】
(1) 凹凸球面を介して２つの部材を連結する球面支持具（ペット用給餌容器Ａ１）において、
凸球面部１ａを有する支持部材（半球形状支持台１）と、
凸球面部１ａの形状に符合し、凸球面部１ａの凸球面領域より狭い凹球面領域に設定した凹球面部２ａを有する被支持部材（フードボウル２）と、
支持部材（半球形状支持台１）と被支持部材（フードボウル２）との間に設けられ、凹球面部２ａを凸球面領域の所定位置に着脱可能に連結する連結機構（マグネット連結機構３）と、を有する。
このため、支持部材（半球形状支持台１）に支持される被支持部材（フードボウル２）の支持方向と支持角度と支持高さを、用途や状況や好みに対応して自由に決めることができる球面支持具（ペット用給餌容器Ａ１）を提供することができる。
【００３７】
(2) 連結機構を、支持部材（半球形状支持台１）と被支持部材（フードボウル２）の少なくとも一方に設けたマグネット３ａを有するマグネット連結機構３とし、
マグネット連結機構３は、被支持部材（フードボウル２）を移動させるときのマグネット３ａによる磁気吸引力を、被支持部材（フードボウル２）を連結固定するときのマグネット３ａによる磁気吸引力より小さく調整する磁気吸引力調整構造（滑り止め弾性体３ｂ）を有する。
このため、連結機能として、被支持部材（フードボウル２）の着脱機能を発揮する以外に、被支持部材（フードボウル２）を磁気支持状態のままで移動させる支持位置調整機能を発揮することができる。
【００３８】
(3) 磁気吸引力調整構造を、凸球面部１ａと凹球面部２ａの対向間隔を弾性変形量により調整可能な滑り止め弾性体３ｂとする。
このため、磁気吸引力を調整する磁気吸引力調整構造として複雑な構成を要さず、滑り止め弾性体３ｂという軽量・小型の簡単な構成にすることができる。
【００３９】
(4) 支持部材（半球形状支持台１）を、磁性体素材（例えば、鉄）により形成し、
被支持部材（フードボウル２）を、非磁性体素材（例えば、木材）により形成し、
マグネット連結機構３を、被支持部材（フードボウル２）の凹球面部２ａの領域に埋め込み状態で固定されたマグネット３ａと、被支持部材（フードボウル２）の凹球面部２ａの領域に固定された滑り止め弾性体３ｂと、を有する機構とする。
このため、支持部材（半球形状支持台１）と被支持部材（フードボウル２）の連結固定状態のとき、マグネット連結機構３を外部から視認できない被支持部材（フードボウル２）の凹球面部２ａの位置に配置することができる。加えて、支持部材（半球形状支持台１）と被支持部材（フードボウル２）の各素材を選定することにより、デザイン性が高い球面支持具（ペット用給餌容器Ａ１）とすることができる。
【００４０】
(5) 支持部材を、半球ドーム形状であり、半球状外周面の全体に凸球面部１ａを有する半球形状支持台１とし、
被支持部材を、半球ボウル形状であり、底面に凸球面部１ａの形状に符合する形状による凹球面部２ａを有するフードボウル２とする。
このため、半球形状支持台１の中心垂直軸CLからの傾斜角度が大きいほどフードボウル２の支持高さが低い位置になるという連動関係を活用し、ペットの大きさに対応できるペット用給餌容器Ａ１を提供することができる。
【００４１】
以上、本発明の球面支持具を実施例１に基づき説明してきた。しかし、具体的な構成については、この実施例１に限られるものではなく、特許請求の範囲の各請求項に係る発明の要旨を逸脱しない限り、設計の変更や追加等は許容される。
【００４２】
実施例１では、本発明の球面支持具を、動力不要系の一例であるペット用給餌容器Ａ１に適用する例を示した。しかし、本発明の球面支持具は、動力不要系として、図８に示すように、ペット用給餌容器Ａ１以外に、化粧鏡Ａ２、什器Ａ３、店舗用ポップ立てＡ４、観葉植物等の鉢植えＡ５、灰皿Ａ６、等に適用することができる。
【００４３】
さらに、本発明の球面支持具は、動力不要系以外に、図９に示すように、動力必要系として、加湿器Ｂ１、扇風機Ｂ２、美顔器Ｂ３、酸素ポンプ付き水槽Ｂ４、吊り下げ型照明器具Ｂ５、スタンド型照明器具Ｂ６、温度玉Ｂ７（熱を発する玉）、等に適用することができる。
【００４４】
実施例１では、連結機構を、半球形状支持台１とフードボウル２の少なくとも一方に設けたマグネット３ａを有するマグネット連結機構３とする例を示した。しかし、連結機構としては、磁気吸着力を利用する機構に限られることはなく、真空吸着力を利用する機構や機械的嵌合や機械的固定により着脱可能とする機構も含まれる。
【００４５】
実施例１では、磁気吸引力調整構造として、凸球面部１ａと凹球面部２ａの対向間隔を弾性変形量により調整可能な滑り止め弾性体３ｂとする例を示した。しかし、磁気吸引力調整構造としては、滑り止め弾性体に限られず、マグネットの進退位置を調整する機構等の例としても良い。
【００４６】
実施例１では、マグネット３ａと滑り止め弾性体３ｂによるマグネット連結機構３を、フードボウル２の凹球面部２ａの領域に設ける例を示した。しかし、連結機構としては、被支持部材のみに設ける以外に、支持部材側に設ける例としても良いし、支持部材と被支持部材との両方に設ける例としても良い。
【符号の説明】
【００４７】
Ａ１  ペット用給餌容器（球面支持具）
１  半球形状支持台（支持部材）
１ａ  凸球面部
２  フードボウル（被支持部材）
２ａ  凹球面部
３  マグネット連結機構（連結機構）
３ａ  マグネット
３ｂ  滑り止め弾性体（磁気吸引力調整構造）
CL  半球形状支持台１の中心垂直軸
【図１】
2020156426.tif 000003
【図２】
2020156426.tif 000004
【図３】
2020156426.tif 000005
【図４】
2020156426.tif 000006
【図５】
2020156426.tif 000007
【図６】
2020156426.tif 000008
【図７】
2020156426.tif 000009
【図８】
2020156426.tif 000010
【図９】
2020156426.tif 000011